【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
ＴＤＤ（ｔｉｍｅ  ｄｉｖｉｓｉｏｎ  ｄｕｐｌｅｘ）無線通信システムによって受信確認情報（ａｃｋｎｏｗｌｅｄｇｅｍｅｎｔ  ｉｎｆｏｒｍａｔｉｏｎ）を受信する方法において、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認する段階と、
前記第３ＵＬ−ＤＬ設定によるＤＬサブフレーム又はスペシャルサブフレームによってダウンリンク制御情報を伝送する段階と、
前記ダウンリンク制御情報によって、スケジューリングされたダウンリンクデータを伝送する段階と、
前記ダウンリンクデータに対する受信確認情報を、第１ＵＬサブフレーム集合又は第２ＵＬサブフレーム集合のＵＬサブフレームによって受信する段階を含み、
前記ＤＬサブフレーム又はスペシャルサブフレームが前記第１ＵＬ−ＤＬ設定によるＤＬサブフレーム、又はスペシャルサブフレームに含まれると、前記受信確認情報は、前記第１ＵＬサブフレーム集合のＵＬサブフレームによって受信され、
前記ＤＬサブフレーム又は、スペシャルサブフレームが前記第１ＵＬ−ＤＬ設定によるＤＬサブフレーム、又はスペシャルサブフレームに含まれないと、前記受信確認情報は、前記第２ＵＬサブフレーム集合のＵＬサブフレームによって受信されることを特徴とする、受信確認情報受信方法。
【請求項２】
前記第１ＵＬサブフレーム集合と、前記第２ＵＬサブフレーム集合とは、前記第２ＵＬ−ＤＬ設定によって決定されることを特徴とする、請求項１に記載の受信確認情報受信方法。
【請求項３】
第１ＵＬ−ＤＬ設定情報をシステム情報ブロック又はＲＲＣ（ｒａｄｉｏ  ｒｅｓｏｕｒｃｅ  ｃｏｎｔｒｏｌ）シグナリングを通じ、伝送する段階と、
第２ＵＬ−ＤＬ設定情報をＲＲＣシグナリングを通じ、伝送する段階と、
第３ＵＬ−ＤＬ設定情報をダウンリンク制御情報を通じ、伝送する段階をさらに含むことを特徴とする、請求項１に記載の受信確認情報受信方法。
【請求項４】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であって、
前記第２ＵＬ−ＤＬ設定によるＤＬサブフレーム及びスペシャルサブフレームは、前記第３ＵＬ−ＤＬ設定によるＤＬサブフレーム、及びスペシャルサブフレームの拡大集合であることを特徴とする、請求項１に記載の受信確認情報受信方法。
【請求項５】
前記ダウンリンク制御情報が物理ダウンリンク制御チャンネル（ｐｈｙｓｉｃａｌ  ｄｏｗｎｌｉｎｋ  ｃｏｎｔｒｏｌ  ｃｈａｎｎｅｌ、  ＰＤＣＣＨ）上に伝送される場合、前記受信確認情報の伝送のための資源（ｒｅｓｏｕｒｃｅ）は、前記第１ＵＬサブフレーム集合の場合、第１オフセットを用い、決定され、前記第２ＵＬサブフレーム集合の場合、第２オフセットを用い、決定されることを特徴とする、請求項１に記載の受信確認情報受信方法。
【請求項６】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記受信確認情報の伝送のための資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項１に記載の受信確認情報受信方法。
【請求項７】
ＴＤＤ（ｔｉｍｅ  ｄｉｖｉｓｉｏｎ  ｄｕｐｌｅｘ）無線通信システムによって受信確認情報（ａｃｋｎｏｗｌｅｄｇｅｍｅｎｔ  ｉｎｆｏｒｍａｔｉｏｎ）を伝送する方法において、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認する段階と、
前記第３ＵＬ−ＤＬ設定によるＤＬサブフレーム又はスペシャルサブフレームによってダウンリンク制御情報を受信する段階と、
前記ダウンリンク制御情報によってスケジューリングされたダウンリンクデータを受信する段階と、
前記ダウンリンクデータに対する受信確認情報を、第１ＵＬサブフレーム集合又は第２ＵＬサブフレーム集合のＵＬサブフレームによって伝送する段階を含み、
前記ＤＬサブフレーム又はスペシャルサブフレームが前記第１ＵＬ−ＤＬ設定によるＤＬサブフレーム又はスペシャルサブフレームに含まれると、前記受信確認情報は、前記第１ＵＬサブフレーム集合のＵＬサブフレームによって伝送され、
前記ＤＬサブフレーム又はスペシャルサブフレームが前記第１ＵＬ−ＤＬ設定によるＤＬサブフレーム又は、スペシャルサブフレームに含まれないと、前記受信確認情報は、前記第２ＵＬサブフレーム集合のＵＬサブフレームによって伝送されることを特徴とする、受信確認情報伝送方法。
【請求項８】
前記第１ＵＬサブフレーム集合と、前記第２ＵＬサブフレーム集合とは、前記第２ＵＬ−ＤＬ設定によって決定されることを特徴とする、請求項７に記載の受信確認情報伝送方法。
【請求項９】
第１ＵＬ−ＤＬ設定情報をシステム情報ブロック又は、ＲＲＣ（ｒａｄｉｏ  ｒｅｓｏｕｒｃｅ  ｃｏｎｔｒｏｌ）シグナリングを通じて受信する段階と、
第２ＵＬ−ＤＬ設定情報をＲＲＣシグナリングを通じ、受信する段階と、
第３ＵＬ−ＤＬ設定情報をダウンリンク制御情報を通じ、受信する段階をさらに含むことを特徴とする、請求項７に記載の受信確認情報伝送方法。
【請求項１０】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であって、
前記第２ＵＬ−ＤＬ設定によるＤＬサブフレーム及びスペシャルサブフレームは、前記第３ＵＬ−ＤＬ設定によるＤＬサブフレーム、及びスペシャルサブフレームの拡大集合であることを特徴とする、請求項７に記載の受信確認情報伝送方法。
【請求項１１】
前記ダウンリンク制御情報が物理ダウンリンク制御チャンネル（ｐｈｙｓｉｃａｌ  ｄｏｗｎｌｉｎｋ  ｃｏｎｔｒｏｌ  ｃｈａｎｎｅｌ、ＰＤＣＣＨ）上に伝送される場合、前記受信確認情報の伝送のための資源（ｒｅｓｏｕｒｃｅ）は、前記第１ＵＬサブフレーム集合の場合、第１オフセットを用い、決定し、前記第２ＵＬサブフレーム集合の場合、第２オフセットを用い、決定されることを特徴とする、請求項７に記載の受信確認情報伝送方法。
【請求項１２】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記受信確認情報の伝送のための資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項７に記載の受信確認情報伝送方法。
【請求項１３】
ＴＤＤ（ｔｉｍｅ  ｄｉｖｉｓｉｏｎ  ｄｕｐｌｅｘ）無線通信システムによって受信確認情報（ａｃｋｎｏｗｌｅｄｇｅｍｅｎｔ  ｉｎｆｏｒｍａｔｉｏｎ）を受信する基地局であって、
端末と信号を送受信するＲＦ送受信部と、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認して、前記第３ＵＬ−ＤＬ設定によるＤＬサブフレーム又はスペシャルサブフレームによってダウンリンク制御情報を伝送し、前記ダウンリンク制御情報によってスケジューリングされたダウンリンクデータを伝送し、前記ダウンリンクデータに対する受信確認情報を第１ＵＬサブフレーム集合又は第２ＵＬサブフレーム集合のＵＬサブフレームによって受信するように制御する制御部を含み、
前記ＤＬサブフレーム又は、スペシャルサブフレームが前記第１ＵＬ−ＤＬ設定によるＤＬサブフレーム又はスペシャルサブフレームに含まれると、前記受信確認情報は、前記第１ＵＬサブフレーム集合のＵＬサブフレームで受信され、
前記ＤＬサブフレーム又はスペシャルサブフレームが前記第１ＵＬ−ＤＬ設定によるＤＬサブフレーム又はスペシャルサブフレームに含まれないと、前記受信確認情報は、前記第２ＵＬサブフレーム集合のＵＬサブフレームによって受信されることを特徴とする、基地局。
【請求項１４】
前記第１ＵＬサブフレーム集合と、前記第２ＵＬサブフレーム集合とは、前記第２ＵＬ−ＤＬ設定によって決定されることを特徴とする、請求項１３に記載の基地局。
【請求項１５】
前記制御部は、第１ＵＬ−ＤＬ設定情報をシステム情報ブロック又はＲＲＣ（ｒａｄｉｏ  ｒｅｓｏｕｒｃｅ  ｃｏｎｔｒｏｌ）シグナリングを通じて伝送し、第２ＵＬ−ＤＬ設定情報をＲＲＣシグナリングを通じて伝送し、第３ＵＬ−ＤＬ設定情報をダウンリンク制御情報を通じて伝送するようにさらに制御することを特徴とする、請求項１３に記載の基地局。
【請求項１６】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であって、
前記第２ＵＬ−ＤＬ設定によるＤＬサブフレーム及びスペシャルサブフレームは、前記第３ＵＬ−ＤＬ設定によるＤＬサブフレーム、及びスペシャルサブフレームの拡大集合であることを特徴とする、請求項１３に記載の基地局。
【請求項１７】
前記ダウンリンク制御情報が物理ダウンリンク制御チャンネル（ｐｈｙｓｉｃａｌ  ｄｏｗｎｌｉｎｋ  ｃｏｎｔｒｏｌ  ｃｈａｎｎｅｌ、ＰＤＣＣＨ）上に伝送される場合、前記受信確認情報の伝送のための資源（ｒｅｓｏｕｒｃｅ）は、前記第１ＵＬサブフレーム集合の場合、第１オフセットを用い、決定して、前記第２ＵＬサブフレーム集合の場合、第２オフセットを用い、決定されることを特徴とする、請求項１３に記載の基地局。
【請求項１８】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記受信確認情報の伝送のための資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項１３に記載の基地局。
【請求項１９】
ＴＤＤ（ｔｉｍｅ  ｄｉｖｉｓｉｏｎ  ｄｕｐｌｅｘ）無線通信システムによって受信確認情報（ａｃｋｎｏｗｌｅｄｇｅｍｅｎｔ  ｉｎｆｏｒｍａｔｉｏｎ）を伝送する端末において、
基地局と信号を送受信するＲＦ送受信部と、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認し、前記第３ＵＬ−ＤＬ設定によるＤＬサブフレーム、又はスペシャルサブフレームによってダウンリンク制御情報を受信し、前記ダウンリンク制御情報によってスケジューリングされたダウンリンクデータを受信し、前記ダウンリンクデータに対する受信確認情報を第１ＵＬサブフレーム集合又は第２ＵＬサブフレーム集合のＵＬサブフレームで伝送するように制御する制御部を含み、
前記ＤＬサブフレーム又はスペシャルサブフレームが前記第１ＵＬ−ＤＬ設定によるＤＬサブフレーム又はスペシャルサブフレームに含まれると、前記受信確認情報は、前記第１ＵＬサブフレーム集合のＵＬサブフレームで伝送され、
前記ＤＬサブフレーム又はスペシャルサブフレームが前記第１ＵＬ−ＤＬ設定によるＤＬサブフレーム、又はスペシャルサブフレームに含まれないと、前記受信確認情報は、前記第２ＵＬサブフレーム集合のＵＬサブフレームによって伝送されることを特徴とする、端末。
【請求項２０】
前記第１ＵＬサブフレーム集合と、前記第２ＵＬサブフレーム集合とは、前記第２ＵＬ−ＤＬ設定によって決定されることを特徴とする、請求項１９に記載の端末。
【請求項２１】
前記制御部は、第１ＵＬ−ＤＬ設定情報をシステム情報ブロック又はＲＲＣ（ｒａｄｉｏ  ｒｅｓｏｕｒｃｅ  ｃｏｎｔｒｏｌ）シグナリングを通じて受信し、第２ＵＬ−ＤＬ設定情報をＲＲＣシグナリングを通じて受信し、第３ＵＬ−ＤＬ設定情報をダウンリンク制御情報を通じ、受信するようにさらに制御することを特徴とする、請求項１９に記載の端末。
【請求項２２】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であって、
前記第２ＵＬ−ＤＬ設定によるＤＬサブフレーム及びスペシャルサブフレームは、前記第３ＵＬ−ＤＬ設定によるＤＬサブフレーム及びスペシャルサブフレームの拡大集合であることを特徴とする、請求項１９に記載の端末。
【請求項２３】
前記ダウンリンク制御情報が物理ダウンリンク制御チャンネル（ｐｈｙｓｉｃａｌ  ｄｏｗｎｌｉｎｋ  ｃｏｎｔｒｏｌ  ｃｈａｎｎｅｌ、ＰＤＣＣＨ）上に伝送される場合、前記受信確認情報の伝送のための資源（ｒｅｓｏｕｒｃｅ）は、前記第１ＵＬサブフレーム集合の場合、第１オフセットを用い、決定して、前記第２ＵＬサブフレーム集合の場合、第２オフセットを用い、決定されることを特徴とする、請求項１９に記載の端末。
【請求項２４】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記受信確認情報の伝送のための資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項１９に記載の端末。